(57)【要約】 【課題】足をスリッパ本体に入れる時、スリッパの方向を気にする必要がなく、スリッパ本体の左右どちらからでも履くことができる両方向のスリッパ構造を提供する。    【解決手段】本考案の両方向のスリッパ構造は、スリッパ本体及び二本の交差するベルトからなる。このスリッパ本体は両端の端が半円形のカーブを描いていて、両側の縁の中間部分がややカーブを描いて窪んだ形をしている。この本体の長さは使用者の足の大きさによってデザインのサイズを変えることが可能である。  二本のスリッパベルトの長さは、スリッパ本体の長さの五分の四で、スリッパ本体の表面中央の位置で交差する。そして、二本のベルトは前後のスリッパ本体側辺の距離の三分の二の位置に向かって、各ベルトの両端部分をスリッパ本体の前後に交差して対応する側辺に固定する。    【選択図】      図１
0003106246.tif 000002
【実用新案登録請求の範囲】
【請求項１】
スリッパ本体及び二本の交差するベルトからなり、このスリッパ本体は両端の端が半円形のカーブを描いていて、両側の縁の中間部分がややカーブを描いて窪んだ形をしていて、この本体の長さは使用者の足の大きさによってサイズデザインを変えることが可能で、
この二本のスリッパベルトの長さはスリッパ本体の長さの五分の四で、
この二本にスリッパベルトはスリッパ本体の表面中央の位置で交差し、
この二本のスリッパベルトは前後に向かってスリッパ本体側辺の距離の三分の二の位置にあって、各ベルトの両端部分をスリッパ本体の前後に交差して対応する側辺に固定するので、
足をスリッパ本体に入れる時、スリッパの方向を気にする必要がなく、スリッパ本体の左右どちらからでも履くことができて、足をスリッパに入れると、その前の部分は二本のベルトの交差点を前に移動し、従来の普通のスリッパの形態を形成して、同時にしっかりと足になじみ、履き心地もよいという特徴を持つ、両方向のスリッパ構造。
【請求項２】
スリッパベルトの両端部分は、直接スリッパ本体の表面及び底部の間の固定槽の中に挿入して挟む形で固定するという特徴を持つ、請求項１に記載の両方向のスリッパ構造。
【請求項３】
この固定槽の口はスリッパベルトの幅よりやや大きいので、スリッパベルトを少し角度を変えて捻ると、ベルトの交差点は移動し、同時に二本のベルトによって挟まれた足の側辺空間に圧力を緩和し弾力性のある拡充作用を持たせるので、スリッパを履いた時、足が適度な位置に収まり履き心地もよいという特徴を持つ、請求項２に記載の両方向のスリッパ構造。
【請求項４】
スリッパベルトの両端部分は、直接スリッパ本体の表面から底部に貫通する凸型穴の中に挿入して固定するという特徴を持つ、請求項１に記載の両方向のスリッパ構造。
【請求項５】
この凸型穴の挿入口はスリッパベルトの幅よりやや大きいので、スリッパベルトを少し角度を変えて捻ると、ベルトの交差点は移動し、同時に二本のベルトによって挟まれた足の側辺空間に圧力を緩和し弾力性のある拡充作用を持たせるので、スリッパを履いた時、足が適度な位置に収まり履き心地もよいという特徴を持つ、請求項４に記載の両方向のスリッパ構造。
【考案の詳細な説明】
【技術分野】
【０００１】
本考案は両方向のスリッパ構造に関する。本考案のスリッパの構造は両方から履くことが可能であるため、従来のものより便利である。
【背景技術】
【０００２】
スリッパは、足を保護する共に脱ぎ履きが便利であるため、日常の生活になくてはならないものである。近年、生活レベルの向上によりスリッパのデザインが多様化し、様々な改良が加えられている。しかしながら、現在ある各種スリッパは単一方向に履き脱ぎするタイプのものである。スリッパを履く際、その方向に注意しなければならないので、時に不便を感じることがある。
【考案の開示】
【考案が解決しようとする課題】
【０００３】
本考案が解決しようとする課題は、足をスリッパ本体に入れる時、スリッパの方向を気にする必要がなく、スリッパ本体の左右どちらからでも履くことができる両方向のスリッパ構造を提供することにある。
【課題を解決するための手段】
【０００４】
本考案の両方向のスリッパ構造は、スリッパ本体及び二本の交差するベルトからなる。このスリッパ本体は両端の端が半円形のカーブを描いていて、両側の縁の中間部分がややカーブを描いて窪んだ形をしている。この本体の長さは使用者の足の大きさによって大中小の三つのサイズに分かれている。
二本のスリッパベルトの長さは、スリッパ本体の長さの五分の四で、スリッパ本体の表面中央の位置で交差する。そして、前後の距離はスリッパ本体側辺の距離の三分の二の位置に向かって各ベルトの両端部分をスリッパ本体の前後に交差して対応する側辺に固定する。
各スリッパベルトの両端部分の固定方法は、直接スリッパ本体の表面及び底部の間の固定槽の中に挿入して挟む形で固定するか、あるいは、直接スリッパ本体の表面から底部に貫通する凸型穴の中に挿入して固定する。この固定槽の口、あるいは凸型穴の挿入口はスリッパベルトの幅よりやや大きいので、スリッパベルトを少し角度を変えて捻ると、ベルトの交差点は移動し、同時に二本のベルトによって挟まれた足の側辺空間に圧力を緩和し弾力性のある拡充作用を持たせるので、スリッパを履いた時、足が適度な位置に収まり履き心地もよい。
このように、足をスリッパ本体に入れる時、スリッパの方向を気にする必要がなく、スリッパ本体の左右どちらからでも履くことができる。足をスリッパに入れると、その前の部分は二本のベルトの交差点を前に移動し、従来の普通のスリッパの形態を形成する。そして、同時にしっかりと足になじみ、履き心地もよいという特徴を持つ。
【考案の効果】
【０００５】
本考案のスリッパの構造は、両方向から履き脱ぎが可能なので便利である。従来のスリッパの欠点を改善し、両方向から履くようにデザインされているため、履物の方向を気にせず、いつでも即座に履けるので、時間と手間が省けて実用性が高い。
【考案を実施するための最良の形態】
【０００６】
図１を参照いただきたい。本考案の両方向のスリッパ構造はスリッパ本体１及び二本の交差するスリッパベルト２からなる。
スリッパ本体１は両側の端が半円形のカーブを描いていて、両側の縁の中間部分がややカーブを描いて窪んだ形をしている。この本体１の長さは使用者の足の大きさによって大中小の三つのサイズに分かれている。
【０００７】
二本のスリッパベルト２の長さは、スリッパ本体１の長さの五分の四で、スリッパ本体１の表面１１中央の位置で交差する。そして、前後の距離はスリッパ本体１側辺の距離の三分の二の位置に向かって各ベルト２の両端部分２１をスリッパ本体１の前後に交差して対応する側辺に固定する。
【０００８】
各スリッパベルト２の両端部分２１の固定方法は、図１及び図２に示すように、直接スリッパ本体１の表面１１及び底部１２の間の固定槽１３の中に挿入して挟む形で固定するか、あるいは、図３及び図４に示すように、直接スリッパ本体１の表面１１から底部１２に貫通する凸型穴１４の中に挿入して固定する。この固定槽１３の口（図２に示すAの位置）あるいは凸型穴１４の挿入口（図４に示すBの位置）はスリッパベルト２の幅よりやや大きいので、スリッパベルト２を少し角度を変えて捻ると、ベルト２の交差点は移動し、同時に二本のベルト２によってはさまれた足３の側辺空間に圧力を緩和し弾力性のある拡充作用を持たせる（図５を参照いただきたい）ので、スリッパを履いた時、足３が適度な位置に収まり履き心地もよい（図６を参照いただきたい）。
【０００９】
このように、足３をスリッパ本体１に入れる時、スリッパの方向を気にする必要がなく、スリッパ本体１の左右どちらからでも履くことができる。足３をスリッパに入れると、その前の部分は二本のベルト２の交差点を前に移動し、従来の普通のスリッパの形態を形成する。そして、同時にしっかりと足になじみ、履き心地もよいという特徴を持つ。
【図面の簡単な説明】
【００１０】
【図１】本考案のスリッパの立体外観図である。
【図２】本考案のスリッパのベルト先端部分が固定された状態を示した断面図である。
【図３】本考案のスリッパのもう一つの実施例の立体外観図である。
【図４】本考案のもう一つの実施例のスリッパのベルト先端部分が固定された状態を示した断面図である。
【図５】本考案のスリッパに足を入れた状態を示した見取り図である。
【図６】本考案のスリッパに足を入れた状態を示したもう一つの側面の見取り図である。
【符号の説明】
【００１１】
１        スリッパ本体            １１        スリッパの表面
１２      スリッパの底面          １３        固定槽
１４      凸型穴                  ２          スリッパのベルト
２１      先端部分                ３          足
【図１】
0003106246.tif 000003
【図２】
0003106246.tif 000004
【図３】
0003106246.tif 000005
【図４】
0003106246.tif 000006
【図５】
0003106246.tif 000007
【図６】
0003106246.tif 000008